(57)【特許請求の範囲】
【請求項１】
ディジタル放送により放送されるオリジナルコンテンツを記録する記録装置において、
前記オリジナルコンテンツと、前記ディジタル放送にて送られるPMTに記述されるディジタルコピー制御記述子とを受信する受信手段と、
受信された前記オリジナルコンテンツに基づいて、１つまたは複数の他の記録媒体への記録用コンテンツを生成する生成手段と、
他の記録媒体に記録が可能なコンテンツのタイトルのリストを表示する場合、前記オリジナルコンテンツが記録可能であるときには、前記記録用コンテンツが既に生成されている状態であっても、前記記録用コンテンツのタイトルが表示されないように前記リストを表示させる表示制御手段と、
前記オリジナルコンテンツについての前記ディジタルコピー制御記述子が「１世代のみコピー可」であることを表す場合、前記オリジナルコンテンツまたは生成された前記記録用コンテンツを他の記録媒体に記録させる記録制御手段と、
前記オリジナルコンテンツについての前記ディジタルコピー制御記述子が「１世代のみコピー可」であることを表す場合の前記オリジナルコンテンツまたは前記記録用コンテンツの他の記録媒体への記録可能な回数を格納する回数情報格納手段と、
前記オリジナルコンテンツまたは前記記録用コンテンツを他の記録媒体に記録させたとき、格納されている前記記録可能な回数を減らす管理手段と
を備え、
前記ディジタルコピー制御記述子は、「制約条件なしにコピー可」、「１世代のみコピー可」、または「コピー禁止」を表すことができ、
放送される前記オリジナルコンテンツおよび前記記録用コンテンツは、前記ディジタルコピー制御記述子が「１世代のみコピー可」であることを表す場合に、前記記録可能な回数の範囲で他の記録媒体への記録が可能とされる
記録装置。
【請求項２】
他の記録媒体への記録が指示されたとき、記録先に応じて、前記オリジナルコンテンツに基づいて生成された前記記録用コンテンツのフォーマットを変換する変換手段をさらに備える
請求項１に記載の記録装置。
【請求項３】
前記表示制御手段は、さらに、前記リストにおいて前記オリジナルコンテンツのタイトルが選択されたとき、選択された前記オリジナルコンテンツに対応する前記記録用コンテンツの他の記録媒体への記録をユーザが選択することができる表示を行う
請求項１に記載の記録装置。
【請求項４】
前記表示制御手段は、前記記録用コンテンツが記録可能である場合、前記オリジナルコンテンツが他の記録媒体に記録されたときでも、前記オリジナルコンテンツのタイトルを、他の記録媒体に記録可能な記録用コンテンツのタイトルとして継続して表示させる
請求項１に記載の記録装置。
【請求項５】
ディジタル放送により放送されるオリジナルコンテンツを記録する記録方法において、
前記オリジナルコンテンツと、前記ディジタル放送にて送られるPMTに記述されるディジタルコピー制御記述子とを受信する受信ステップと、
受信された前記オリジナルコンテンツに基づいて、１つまたは複数の他の記録媒体への記録用コンテンツを生成する生成ステップと、
他の記録媒体に記録が可能なコンテンツのタイトルのリストを表示する場合、前記オリジナルコンテンツが記録可能であるときには、前記記録用コンテンツが既に生成されている状態であっても、前記記録用コンテンツのタイトルが表示されないように前記リストを表示させる表示制御ステップと、
前記オリジナルコンテンツについての前記ディジタルコピー制御記述子が「１世代のみコピー可」であることを表す場合、前記オリジナルコンテンツまたは生成された前記記録用コンテンツを他の記録媒体に記録させる記録制御ステップと、
前記オリジナルコンテンツについての前記ディジタルコピー制御記述子が「１世代のみコピー可」であることを表す場合の前記オリジナルコンテンツまたは前記記録用コンテンツの他の記録媒体への記録可能な回数を格納する回数情報格納ステップと、
前記オリジナルコンテンツまたは前記記録用コンテンツを他の記録媒体に記録させたとき、格納されている前記記録可能な回数を減らす管理ステップと
を含み、
前記ディジタルコピー制御記述子は、「制約条件なしにコピー可」、「１世代のみコピー可」、または「コピー禁止」を表すことができ、
放送される前記オリジナルコンテンツおよび前記記録用コンテンツは、前記ディジタルコピー制御記述子が「１世代のみコピー可」であることを表す場合に、前記記録可能な回数の範囲で他の記録媒体への記録が可能とされる
記録方法。
【請求項６】
ディジタル放送により放送されるオリジナルコンテンツを記録する処理をコンピュータに実行させるプログラムにおいて、
前記オリジナルコンテンツと、前記ディジタル放送にて送られるPMTに記述されるディジタルコピー制御記述子とを受信する受信ステップと、
受信された前記オリジナルコンテンツに基づいて、１つまたは複数の他の記録媒体への記録用コンテンツを生成する生成ステップと、
他の記録媒体に記録が可能なコンテンツのタイトルのリストを表示する場合、前記オリジナルコンテンツが記録可能であるときには、前記記録用コンテンツが既に生成されている状態であっても、前記記録用コンテンツのタイトルが表示されないように前記リストを表示させる表示制御ステップと、
前記オリジナルコンテンツについての前記ディジタルコピー制御記述子が「１世代のみコピー可」であることを表す場合、前記オリジナルコンテンツまたは生成された前記記録用コンテンツを他の記録媒体に記録させる記録制御ステップと、
前記オリジナルコンテンツについての前記ディジタルコピー制御記述子が「１世代のみコピー可」であることを表す場合の前記オリジナルコンテンツまたは前記記録用コンテンツの他の記録媒体への記録可能な回数を格納する回数情報格納ステップと、
前記オリジナルコンテンツまたは前記記録用コンテンツを他の記録媒体に記録させたとき、格納されている前記記録可能な回数を減らす管理ステップと
を含み、
前記ディジタルコピー制御記述子は、「制約条件なしにコピー可」、「１世代のみコピー可」、または「コピー禁止」を表すことができ、
放送される前記オリジナルコンテンツおよび前記記録用コンテンツは、前記ディジタルコピー制御記述子が「１世代のみコピー可」であることを表す場合に、前記記録可能な回数の範囲で他の記録媒体への記録が可能とされる
処理をコンピュータに実行させるプログラム。
【発明の詳細な説明】
【技術分野】
【０００１】
本発明は、記録装置および方法、並びにプログラムに関し、特に、複製が無制限に作成されるのを防ぎつつ、より、コンテンツの使い方の自由度を高めることができるようにする記録装置および方法、並びにプログラムに関する。
【背景技術】
【０００２】
現在のディジタル放送におけるプログラム（コンテンツ）の著作権情報は、ディジタルコピー制御記述子（digital_copy_control_descriptor）が、トランスポートストリームに多重化されるPSI(Program Specific Information)のPMT(Program Map Table)の中に挿入されることで定義される。
【０００３】
すなわち、ディジタルコピー制御記述子は、コンテンツの権利者がコンテンツのコピーに関する情報を受信機側の機器に伝えるために用いられるものである。
【０００４】
図１は、ディジタルコピー制御記述子のデータ構造を示す図である。
【０００５】
上から４行目の「digital_recording_control_data」はコンテンツの著作権情報として、コピーの世代を制御する情報である。「digital_recording_control_data」の２ビットが00bである場合、それは、「制約条件なしにコピー可」であることを表し、10bである場合、「１世代のみコピー可」を表す。また、11bである場合、それは「コピー禁止」を表す。
【０００６】
例えば、HDD(Hard Disk Drive)とDVD(Digital Versatile Disc)ドライブを内蔵するハイブリッド型の記録装置において、「digital_recording_control_data」の２ビットが10b（「１世代のみコピー可」）のコンテンツがHDDに記録された場合、その時点で「１世代」のコピーが行われたものとして扱われ、コンテンツのCCI(Copy Control Information)は「コピー禁止」とされる。ここで、CCIは、記録装置内部でのそれぞれのコンテンツのコピーの制限に関する情報である。
【０００７】
従って、以降、ユーザは、そのコンテンツをHDDから再生させる限りにおいては視聴することはできるが、DVDにコピーして外部のプレーヤで視聴したりすることはできない。現在のディジタル放送においては、このようにして複製の作成が防止されている。
【０００８】
ところで、HDDの記録容量は当然有限であり、HDDの記録容量いっぱいにコンテンツが記録された場合、コンテンツを消去せずに記録容量を確保するためには、コンテンツを他のリムーバブルメディアにコピーして、HDD内のコンテンツを削除することが考えられるが、上述したような制限からコンテンツによってはそれができない。
【０００９】
そこで、このような問題を解決するために、「ムーブ（Move）」という技術がある。
【００１０】
ムーブは、例えば、HDDに記録されている「１世代のみコピー可」のコンテンツを、DVDやBlu-ray Disk（商標）などのリムーバブルメディアにコピーしつつ、コピーが終わったHDD内のコンテンツの部分を消去、または無効化して、全てのコピーが終了したときに、HDD内のコンテンツを全て消去、または無効化することにより、利用可能な１つのコンテンツをリムーバブルメディア上に残しつつ、HDD上からはそれを利用できなくする技術である（特許文献１）。
【００１１】
これにより、ユーザは、内蔵のHDDに記録された「１世代のみコピー可」のコンテンツであっても、他のリムーバブルメディアなどに複製を作ることが可能となり、コンテンツが記録（ムーブ）されたリムーバブルメディアを他のプレーヤなどに装着することにより、HDD上以外からでもコンテンツを利用することができる。また、この場合でも、複製が複数作成されることもない。
【先行技術文献】
【特許文献】
【００１２】
【特許文献１】特開２００３−１６７２５号公報
【発明の開示】
【発明が解決しようとする課題】
【００１３】
しかしながら、近年の記録メディア、ディスプレイメディアの多様化に伴い、家庭内の記録装置に記録しているテレビジョン番組などの１つのコンテンツを、一方は、メモリスティック（商標）などに記録させて、携帯機器を用いて屋外で視聴したく、他方は、その記録装置を操作して大画面のディスプレイを用いて視聴したい、というニーズが出てきているにも関わらず、「１世代のみコピー可」のコンテンツの場合、「ムーブ」を使ったとしてもそのようなニーズに対応することができないという課題があった。
【００１４】
現在の日本の放送の運用規定であるARIB TR-B14（地上デジタルテレビジョン放送運用規定）、およびARIB TR-B15（BS/広帯域CSデジタル放送運用規定）では、記録装置内蔵のHDDへの「１世代のみコピー可」のコンテンツの記録は１つに制限されており、ただ、異なる記録方式で、かつ同時に記録する場合にのみ、記録装置に装着されたリムーバブルメディアに対して２つまでその記録が許可されている。
【００１５】
従って、ユーザは、記録装置内蔵のHDDにコンテンツを記録すると同時に、それとは異なる記録方式でメモリスティック等に同じコンテンツを記録することができ、それにより、上述したような多様な使い方を実現することができるが、HDDへのコンテンツの記録が開始される前に、全てのリムーバブルメディアに対する記録操作を行う必要があり、操作が煩雑であるとともに、メディアの選択枝の幅が狭い。
【００１６】
例えば、ユーザは、あるテレビジョン番組の放送が開始される前に、記録装置内蔵のHDDへの記録操作を行うとともに、記録方式の設定等の、メモリスティックへの記録操作を行う必要があり、操作が煩雑である。
【００１７】
また、携帯機器を用いて視聴しようとしていたため、メモリスティックにテレビジョン番組を記録させたものの、後から、家庭内のDVDプレーヤを用いて視聴したいと思い直した場合でも、DVDにテレビジョン番組を記録し直すことができず、メディアの選択枝の幅が狭い。
【００１８】
本発明はこのような状況に鑑みてなされたものであり、複製が無制限に作成されるのを防ぎつつ、より、コンテンツの使い方の自由度を高めることができるようにするものである。
【課題を解決するための手段】
【００１９】
本発明の一側面の記録装置は、ディジタル放送により放送されるオリジナルコンテンツを記録する記録装置において、前記オリジナルコンテンツと、前記ディジタル放送にて送られるPMTに記述されるディジタルコピー制御記述子とを受信する受信手段と、受信された前記オリジナルコンテンツに基づいて、１つまたは複数の他の記録媒体への記録用コンテンツを生成する生成手段と、他の記録媒体に記録が可能なコンテンツのタイトルのリストを表示する場合、前記オリジナルコンテンツが記録可能であるときには、前記記録用コンテンツが既に生成されている状態であっても、前記記録用コンテンツのタイトルが表示されないように前記リストを表示させる表示制御手段と、前記オリジナルコンテンツについての前記ディジタルコピー制御記述子が「１世代のみコピー可」であることを表す場合、前記オリジナルコンテンツまたは生成された前記記録用コンテンツを他の記録媒体に記録させる記録制御手段と、前記オリジナルコンテンツについての前記ディジタルコピー制御記述子が「１世代のみコピー可」であることを表す場合の前記オリジナルコンテンツまたは前記記録用コンテンツの他の記録媒体への記録可能な回数を格納する回数情報格納手段と、前記オリジナルコンテンツまたは前記記録用コンテンツを他の記録媒体に記録させたとき、格納されている前記記録可能な回数を減らす管理手段とを備え、前記ディジタルコピー制御記述子は、「制約条件なしにコピー可」、「１世代のみコピー可」、または「コピー禁止」を表すことができ、放送される前記オリジナルコンテンツおよび前記記録用コンテンツは、前記ディジタルコピー制御記述子が「１世代のみコピー可」であることを表す場合に、前記記録可能な回数の範囲で他の記録媒体への記録が可能とされる。
【００２１】
他の記録媒体への記録が指示されたとき、記録先に応じて、前記オリジナルコンテンツに基づいて生成された前記記録用コンテンツのフォーマットを変換する変換手段をさらに設けることができる。
【００２３】
前記表示制御手段には、さらに、前記リストにおいて前記オリジナルコンテンツのタイトルが選択されたとき、選択された前記オリジナルコンテンツに対応する前記記録用コンテンツの他の記録媒体への記録をユーザが選択することができる表示を行わせることができる。
【００２４】
前記表示制御手段には、前記記録用コンテンツが記録可能である場合、前記オリジナルコンテンツが他の記録媒体に記録されたときでも、前記オリジナルコンテンツのタイトルを、他の記録媒体に記録可能な記録用コンテンツのタイトルとして継続して表示させることができる。
【００２５】
本発明の一側面の記録方法は、ディジタル放送により放送されるオリジナルコンテンツを記録する記録方法において、前記オリジナルコンテンツと、前記ディジタル放送にて送られるPMTに記述されるディジタルコピー制御記述子とを受信する受信ステップと、受信された前記オリジナルコンテンツに基づいて、１つまたは複数の他の記録媒体への記録用コンテンツを生成する生成ステップと、他の記録媒体に記録が可能なコンテンツのタイトルのリストを表示する場合、前記オリジナルコンテンツが記録可能であるときには、前記記録用コンテンツが既に生成されている状態であっても、前記記録用コンテンツのタイトルが表示されないように前記リストを表示させる表示制御ステップと、前記オリジナルコンテンツについての前記ディジタルコピー制御記述子が「１世代のみコピー可」であることを表す場合、前記オリジナルコンテンツまたは生成された前記記録用コンテンツを他の記録媒体に記録させる記録制御ステップと、前記オリジナルコンテンツについての前記ディジタルコピー制御記述子が「１世代のみコピー可」であることを表す場合の前記オリジナルコンテンツまたは前記記録用コンテンツの他の記録媒体への記録可能な回数を格納する回数情報格納ステップと、前記オリジナルコンテンツまたは前記記録用コンテンツを他の記録媒体に記録させたとき、格納されている前記記録可能な回数を減らす管理ステップとを含み、前記ディジタルコピー制御記述子は、「制約条件なしにコピー可」、「１世代のみコピー可」、または「コピー禁止」を表すことができ、放送される前記オリジナルコンテンツおよび前記記録用コンテンツは、前記ディジタルコピー制御記述子が「１世代のみコピー可」であることを表す場合に、前記記録可能な回数の範囲で他の記録媒体への記録が可能とされる。
【００２６】
本発明の一側面のプログラムは、ディジタル放送により放送されるオリジナルコンテンツを記録する処理をコンピュータに実行させるプログラムにおいて、前記オリジナルコンテンツと、前記ディジタル放送にて送られるPMTに記述されるディジタルコピー制御記述子とを受信する受信ステップと、受信された前記オリジナルコンテンツに基づいて、１つまたは複数の他の記録媒体への記録用コンテンツを生成する生成ステップと、他の記録媒体に記録が可能なコンテンツのタイトルのリストを表示する場合、前記オリジナルコンテンツが記録可能であるときには、前記記録用コンテンツが既に生成されている状態であっても、前記記録用コンテンツのタイトルが表示されないように前記リストを表示させる表示制御ステップと、前記オリジナルコンテンツについての前記ディジタルコピー制御記述子が「１世代のみコピー可」であることを表す場合、前記オリジナルコンテンツまたは生成された前記記録用コンテンツを他の記録媒体に記録させる記録制御ステップと、前記オリジナルコンテンツについての前記ディジタルコピー制御記述子が「１世代のみコピー可」であることを表す場合の前記オリジナルコンテンツまたは前記記録用コンテンツの他の記録媒体への記録可能な回数を格納する回数情報格納ステップと、前記オリジナルコンテンツまたは前記記録用コンテンツを他の記録媒体に記録させたとき、格納されている前記記録可能な回数を減らす管理ステップとを含み、前記ディジタルコピー制御記述子は、「制約条件なしにコピー可」、「１世代のみコピー可」、または「コピー禁止」を表すことができ、放送される前記オリジナルコンテンツおよび前記記録用コンテンツは、前記ディジタルコピー制御記述子が「１世代のみコピー可」であることを表す場合に、前記記録可能な回数の範囲で他の記録媒体への記録が可能とされる処理をコンピュータに実行させる。
【００２７】
本発明の一側面においては、オリジナルコンテンツと、ディジタル放送にて送られるPMTに記述されるディジタルコピー制御記述子とが受信され、受信された前記オリジナルコンテンツに基づいて、１つまたは複数の他の記録媒体への記録用コンテンツが生成され、他の記録媒体に記録が可能なコンテンツのタイトルのリストを表示する場合、前記オリジナルコンテンツが記録可能であるときには、前記記録用コンテンツが既に生成されている状態であっても、前記記録用コンテンツのタイトルが表示されないように前記リストが表示される。また、前記オリジナルコンテンツについての前記ディジタルコピー制御記述子が「１世代のみコピー可」であることを表す場合、前記オリジナルコンテンツまたは生成された前記記録用コンテンツが他の記録媒体に記録される。また、前記オリジナルコンテンツまたは前記記録用コンテンツについての前記ディジタルコピー制御記述子が「１世代のみコピー可」であることを表す場合の前記コンテンツの他の記録媒体への記録可能な回数が格納され、前記オリジナルコンテンツまたは前記記録用コンテンツが他の記録媒体に記録されたとき、格納されている前記記録可能な回数が減らされる。前記ディジタルコピー制御記述子は、「制約条件なしにコピー可」、「１世代のみコピー可」、または「コピー禁止」を表すことができ、放送される前記コンテンツは、前記ディジタルコピー制御記述子が「１世代のみコピー可」であることを表す場合に、前記記録可能な回数の範囲で他の記録媒体への記録が可能とされる。
【発明の効果】
【００２８】
本発明によれば、複製が無制限に作成されるのを防ぎつつ、より、コンテンツの使い方の自由度を高めることができる。
【図面の簡単な説明】
【００２９】
【図１】ディジタルコピー制御記述子のデータ構造を示す図である。
【図２】本発明を適用した記録装置の構成例を示すブロック図である。
【図３】記録装置の機能構成例を示すブロック図である。
【図４】リストの例を示す図である。
【図５】リストの他の例を示す図である。
【図６】記録装置の記録処理について説明するフローチャートである。
【図７】記録装置のムーブ／コピー処理について説明するフローチャートである。
【図８】ムーブ制御部の構成例を示すブロック図である。
【図９】記録装置の他の記録処理について説明するフローチャートである。
【図１０】記録装置の他のムーブ／コピー処理について説明するフローチャートである。
【発明を実施するための形態】
【００３０】
図２は、本発明を適用した記録装置１の構成例を示すブロック図である。
【００３１】
CPU(Central Processing Unit)１１は、コントローラ１２を介して、ROM(Read Only Memory)１３に記憶されたプログラムや、HDD(Hard Disk Drive)２５からRAM(Random Access Memory)１４にロードされたプログラムを実行し、バス１５および２４に接続されている各部の動作を制御する。
【００３２】
例えば、CPU１１は、トランスポートストリームに多重化されるPSI(Program Specific Information)のPMT(Program Map Table)に記述されるディジタルコピー制御記述子（digital_copy_control_descriptor）により、受信したコンテンツが「１世代のみコピー可」のコンテンツであることが表されており、そのコンテンツをHDD２５（HDD２５内のハードディスク）に記録させる場合、受信したコンテンツに基づいて、同じ内容のムーブ用のコンテンツを生成し、生成したムーブ用のコンテンツを、オリジナルのコンテンツ（受信したコンテンツ）とともにHDD２５に記録させる。
【００３３】
ムーブ用のコンテンツは、記録装置１に装着された光ディスク２７や半導体メモリ２９等の他の記録メディアにムーブするときに用いられる。
【００３４】
チューナ部１７は、CPU１１による制御に従って、アンテナ１６からの放送信号を受信、復調し、所定のチャンネルで放送されてきたトランスポートストリームを、バス１５を介してデスクランブラ１８に出力する。
【００３５】
デスクランブラ１８は、カードI/F(Interface)１９に挿入されたCASカード２０に記憶されているデータを用いてスクランブルを解くキーを生成し、チューナ部１７から供給されてきたトランスポートストリームのスクランブルを解除する。デスクランブラ１８によりスクランブルが解除されたトランスポートストリームは、例えば、バス１５を介してデマルチプレクサ２１に供給される。
【００３６】
カードI/F１９は、CASカード２０から読み出したデータをバス１５を介してデスクランブラ１８に供給する。
【００３７】
デマルチプレクサ２１は、CPU１１による制御に従って、デスクランブラ１８から供給されてきたトランスポートストリームから所定のストリームを抽出し、抽出したストリームを構成するパケットをバス１５上に、または、オーディオデコーダ２２、ビデオデコーダ２３に出力する。デマルチプレクサ２１により得られたパケットからなるコンテンツは、例えば、バス１５、コントローラ１２、およびバス２４を介してHDD２５に供給され、記録される。
【００３８】
また、デマルチプレクサ２１は、トランスポートストリームから抽出したPSI(Program Specific Information)／SI(Service Information)などの付加情報をバス１５、およびコントローラ１２を介してCPU１１に出力する。
【００３９】
オーディオデコーダ２２は、デマルチプレクサ２１から供給されてきたオーディオデータ（オーディオパケット）をデコードし、得られたオーディオデータを図示せぬオーディオ出力端子から出力する。オーディオ出力端子から出力されたオーディオデータは、例えば、記録装置１と接続されるテレビジョン受像機により受信され、そのスピーカから、オーディオデータに対応する音声が出力される。
【００４０】
ビデオデコーダ２３は、デマルチプレクサ２１から供給されてきたビデオデータ（ビデオパケット）をデコードし、得られたビデオデータを図示せぬビデオ出力端子から出力する。ビデオ出力端子から出力されたビデオデータは、例えば、記録装置１と接続されるテレビジョン受像機により受信され、そのディスプレイに、ビデオデータに対応する画像が表示される。
【００４１】
ビデオデコーダ２３は、例えば、HDD２５に記録されているコンテンツのタイトルの一覧を表示させるOSD(On Screen Display)機能も有しており、OSD機能により生成したビデオデータも、ビデオ出力端子を介してテレビジョン受像機に出力する。
【００４２】
HDD２５は、バス２４を介して供給されてきたコンテンツを記録する。HDD２５に記録されたコンテンツは、CPU１１による制御に従って適宜読み出され、再生、コピー、ムーブ等に用いられる。
【００４３】
光ディスクドライブ２６は、そこに装着された光ディスク２７を駆動することにより、バス２４を介して供給されてきたデータを光ディスク２７に記録し、また、光ディスク２７に記録されているデータ（プログラムを含む）を読み出してバス２４上に出力する。例えば、HDD２５に記録されているコンテンツのムーブ先が光ディスク２７として指定されている場合、光ディスクドライブ２６は、HDD２５からバス２４を介して供給されてきたコンテンツを光ディスク２７に記録させる。ここで、光ディスク２７は、例えば、DVD(Digital Versatile Disc)やBlu-ray Disk（商標）等である。
【００４４】
半導体メモリI/F２８は、そこに装着された半導体メモリ２９を駆動することにより、バス２４を介して供給されてきたデータを半導体メモリ２９に記録し、また、半導体メモリ２９に記録されているデータを読み出してバス２４上に出力する。半導体メモリ２９は、例えば、メモリスティック（商標）、SDカード（商標）等である。
【００４５】
通信部３０は、例えば、IEEE(Institute of Electrical and Electronics Engineers)1394ケーブルを介して接続される外部機器と通信を行い、例えば、バス２４を介して供給されてきたコンテンツを、その外部機器に出力する。HDD２５に記録されているコンテンツのムーブは、通信部３０を介して接続される外部機器に対しても適宜行われる。
【００４６】
図３は、記録装置１の機能構成例を示すブロック図である。図３に示す構成の少なくとも一部は、図２のCPU１１により所定のプログラムが実行されることで実現される。
【００４７】
解析部５１は、デマルチプレクサ２１から供給されてきたPSIのPMT(Program Map Table)を解析し、PMTに記述されるディジタルコピー制御記述子（digital_copy_control_descriptor）（図１）により指定されるコンテンツのコピーの世代の制限を取得する。
【００４８】
コンテンツのコピーの世代の制限は、ディジタルコピー制御記述子を構成するデータのうちの「digital_recording_control_data」（図１の４行目）の２ビットにより指定される。「digital_recording_control_data」が00bである場合、それは、「制約条件なしにコピー可」を表し、10bである場合、「１世代のみコピー可」を表す。また、11bである場合、それは「コピー禁止」を表す。
【００４９】
解析部５１は、「digital_recording_control_data」に従って、受信したコンテンツが「制約条件なしにコピー可」、「１世代のみコピー可」、または「コピー禁止」であることを表す情報をHDD記録制御部５２およびムーブ用コンテンツ生成部５３に出力する。
【００５０】
HDD記録制御部５２は、デマルチプレクサ２１から供給されてきたビデオ、オーディオパケットからなるコンテンツを受信し、HDD２５へのそのコンテンツの記録を、解析部５１から供給されてきた情報、およびユーザによる設定に従って制御する。
【００５１】
例えば、供給されてきたコンテンツが「１世代のみコピー可」のコンテンツであり、それをHDD２５に記録することがユーザにより指定されている場合、HDD記録制御部５２は、デマルチプレクサ２１から供給されてきたオリジナルのコンテンツ（「以下、オリジナルコンテンツ」という）をHDD２５のオリジナルコンテンツ記録部５５に記録させるとともに、ムーブ用コンテンツ生成部５３から供給されてきたムーブ用のコンテンツ（以下、「ムーブ用コンテンツ」という）をムーブ用コンテンツ記録部５６に記録させる。「１世代のみコピー可」のコンテンツを記録する場合、オリジナルコンテンツとは別に、ムーブ用コンテンツがムーブ用コンテンツ生成部５３により生成される。
【００５２】
また、HDD記録制御部５２は、デマルチプレクサ２１から供給されてきたコンテンツが「制約条件なしにコピー可」のコンテンツであり、それをHDD２５に記録することがユーザにより設定されている場合、そのコンテンツをオリジナルコンテンツ記録部５５に記録させる。さらに、HDD記録制御部５２は、受信されたコンテンツが「コピー禁止」のコンテンツである場合、それをHDD２５に記録しない。記録するコンテンツが「制約条件なしにコピー可」のコンテンツである場合と、「コピー禁止」のコンテンツである場合の処理は、「digital_recording_control_data」に基づく従来の記録処理と同様である。
【００５３】
HDD記録制御部５２によりHDD２５に記録されたコンテンツは、その時点で「１世代」のコピーが行われたものとして扱われる。従って、記録されたコンテンツが「１世代のみコピー可」のコンテンツである場合、そのコンテンツには、それ以降のコピーが禁止（ムーブは可能）であることを表すCCI(Copy Control Information)が付加される。CCIは、記録装置１内部でのそれぞれのコンテンツのコピーの制限に関する情報である。
【００５４】
ムーブ用コンテンツ生成部５３は、解析部５１から供給されてきた情報が、デマルチプレクサ２１から供給されてきたコンテンツが「１世代のみコピー可」のコンテンツであることを表している場合、記録設定管理部５４から供給されてくる設定情報により指定されるフォーマットのムーブ用コンテンツを生成し、生成したムーブ用コンテンツをHDD記録制御部５２に出力する。
【００５５】
例えば、ムーブ用コンテンツ生成部５３は、オリジナルコンテンツがMPEG(Moving Picture Experts Group)2フォーマットのコンテンツである場合、それと異なるMPEG4フォーマットのコンテンツなどの、各種のフォーマットのコンテンツをムーブ用コンテンツとして生成する（フォーマットの変換を行う）。MPEG4フォーマットのムーブ用コンテンツは、例えば、半導体メモリ２９にムーブするときに用いられる。
【００５６】
例えば、記録装置１が受信する放送が、HD(High Definition)放送である場合、SD(Standard Definition)にダウンコンバートし、オリジナルコンテンツとフォーマットの異なるMPEG4のコンテンツをムーブ用コンテンツとして記録することにより、オリジナルコンテンツをそのままムーブ用コンテンツとして記録しておくことに較べて、HDD２５の記録容量が圧迫されるのを防止することができる。
【００５７】
当然、オリジナルコンテンツと同じフォーマットのコンテンツがムーブ用コンテンツとして記録されるようにしてもよい。
【００５８】
また、ムーブ用コンテンツ生成部５３は、記録設定管理部５４から供給されてくる設定情報に応じて、複数のムーブ用コンテンツを生成することもある。
【００５９】
記録設定管理部５４は、例えば、ユーザにより設定されたコンテンツの記録に関する設定を表す設定情報をムーブ用コンテンツ生成部５３に出力する。この設定情報には、例えば、ムーブ用コンテンツのフォーマットを指定する情報、生成するムーブ用コンテンツの数を指定する情報などが含まれる。ユーザによる設定は、記録装置１を制御する図示せぬリモートコントローラや、記録装置１の筐体表面に設けられたボタンを用いて行われる。
【００６０】
HDD２５のオリジナルコンテンツ記録部５５は、HDD記録制御部５２から供給されてきたオリジナルコンテンツを記録し、ムーブ用コンテンツ記録部５６は、ムーブ用コンテンツを記録する。オリジナルコンテンツ記録部５５に記録されたオリジナルコンテンツとムーブ用コンテンツ記録部５６に記録されたムーブ用コンテンツは、ムーブ制御部５７により適宜読み出され、光ディスク２７や半導体メモリ２９へのムーブに用いられる。
【００６１】
このように、オリジナルコンテンツ自体も、適宜、ムーブに用いられる。また、オリジナルコンテンツは、HDD２５からのコンテンツの再生にも用いられる。再生が指示されたとき、オリジナルコンテンツはHDD２５から読み出され、オーディオデコーダ２２、ビデオデコーダ２３によりデコードされる。
【００６２】
ムーブ制御部５７は、例えば、ユーザにより、オリジナルコンテンツ記録部５５に記録されているオリジナルコンテンツのムーブが指示されたとき、光ディスクドライブ２６を制御して、光ディスク２７にオリジナルコンテンツをムーブさせる。すなわち、ムーブ制御部５７は、ムーブが終わったオリジナルコンテンツの部分を消去、または無効化しつつ、全てのムーブが終わったとき、オリジナルコンテンツ記録部５５に記録されているオリジナルコンテンツを全て消去、または無効化し、利用不可とすることによってムーブを行う。
【００６３】
また、ムーブ制御部５７は、ユーザにより、ムーブ用コンテンツ記録部５６に記録されているムーブ用コンテンツのムーブが指示されたとき、光ディスクドライブ２６を制御して、光ディスク２７にムーブ用コンテンツをムーブさせる。
【００６４】
リスト表示部５８は、オリジナルコンテンツ記録部５５およびムーブ用コンテンツ記録部５６に記録されているコンテンツを参照し、ビデオデコーダ２３のOSD機能を用いて、ムーブ可能なコンテンツのリストを外部のディスプレイに表示させる。このリストから、ユーザは、ムーブするコンテンツを選択することができる。
【００６５】
図４はリスト表示部５８により表示されるリストの例を示す図である。
【００６６】
図４に示すように、リストには、オリジナルコンテンツ記録部５５に記録されているコンテンツのタイトルが一覧表示される。図４の例においては、番組＃１乃至＃５が、ユーザが操作（ムーブを含む）可能なコンテンツのタイトルとして表示されている。
【００６７】
また、図４の例においては、点線矢印の先に示すように、番組＃１乃至＃５のうちの番組＃２と＃４は、「１世代のみコピー可」のコンテンツであり、それぞれ、ムーブ用コンテンツもHDD２５に記録されていることが示されている。
【００６８】
このように、リスト表示部５８は、オリジナルコンテンツの他にムーブ用コンテンツがあるコンテンツについては、タイトルを１つだけ表示し、ムーブ用コンテンツのタイトルは表示しない。
【００６９】
仮に、あるコンテンツについて、オリジナルコンテンツの他にムーブ用コンテンツもHDD２５に記録されていることから、それぞれのタイトル、すなわち、２つの同じタイトルをリスト上に表示するとした場合、ユーザが、どのタイトルを選択すればよいのか迷うおそれがあるが、このように、１つのタイトルのみが表示されるようにすることで、そのようなおそれもなくなる。
【００７０】
また、２つの同じタイトルが表示されている場合、「１世代のみコピー可」のコンテンツであるにもかかわらず、いかにも複製が作成されているという印象をコンテンツの著作権者に与え、さらに複製が作られるのではという懸念をも与えてしまうおそれがあるが、そのようなおそれを著作権者に与えることも防ぐことができる。
【００７１】
このようなリストが表示されている状態で、例えば、カーソルなどを移動させてユーザが所定の番組のタイトルを選択したとき、そのタイトルのコンテンツをHDD２５上から再生する、ムーブする、コピーする、といったように、それぞれのコンテンツに応じて、選択可能な操作内容のメニューが表示される。
【００７２】
例えば、「制約条件なしにコピー可」のコンテンツである番組＃１を選択した場合、「再生する」、「コピーする」の中から操作内容を選択することができるメニューが表示される。ユーザは、そのメニューから、番組＃１のタイトルのオリジナルコンテンツを操作することができる。
【００７３】
また、例えば、「１世代のみコピー可」のコンテンツである番組＃２を選択した場合、「（オリジナルコンテンツを）再生する」、「オリジナルコンテンツをムーブする」、「ムーブ用コンテンツをムーブする」の中から操作内容を選択することができるメニューが表示される。ユーザは、そのメニューから、番組＃２のタイトルのオリジナルコンテンツ、またはムーブ用コンテンツを操作することができる。
【００７４】
なお、オリジナルコンテンツとムーブ用コンテンツが記録されている場合、操作内容として、「オリジナルコンテンツをムーブする」、「ムーブ用コンテンツをムーブする」が別々に表示されるのではなく、単に、「ムーブする」のみが表示され、それが選択されたとき、自動的に、ムーブ用コンテンツのムーブが行われるようにしてもよい。これにより、ユーザ、または著作権者は、ムーブ用コンテンツの存在を意識しなくて済む。
【００７５】
このようにして番組＃２のタイトルを選択したときに表示されるメニューから、例えば、ユーザが「オリジナルコンテンツをムーブする」を選択した場合、ムーブ制御部５７により、オリジナルコンテンツ記録部５５に記録されているオリジナルコンテンツのムーブが行われる。一方、ユーザが、「ムーブ用コンテンツをムーブする」を選択した場合、ムーブ制御部５７により、ムーブ用コンテンツ記録部５６に記録されているムーブ用コンテンツのムーブが行われる。
【００７６】
図５は、ムーブ後のリストの表示の例を示す図である。
【００７７】
「１世代のみコピー可」のコンテンツ（オリジナルコンテンツ）を光ディスク２７等にムーブさせた場合、HDD２５からはそのコンテンツを利用できなくなるから、ムーブ可能なコンテンツのタイトルからなるリストには、そのムーブされたコンテンツのタイトルは表示されない。
【００７８】
図５の例においては、番組＃２と＃３は「１世代のみコピー可」のコンテンツである。この２つのオリジナルコンテンツがムーブされた場合のリストの表示について説明する。
【００７９】
例えば、番組＃３は、ムーブ用コンテンツがHDD２５に記録されていないコンテンツ（オリジナルコンテンツのみ記録されているコンテンツ）であり、それがムーブされた場合、図５に示すように、リスト表示部５８により表示されるリストから番組＃３は消される。
【００８０】
一方、番組＃３と同じ「１世代のみコピー可」のコンテンツではあるが、番組＃２は、ムーブ用コンテンツがHDD２５に記録されているから、ムーブされた後であっても、リスト表示部５８により表示されるリストから番組＃２は消されず、その表示は継続される。従って、ユーザは、番組＃２を選択したときに表示されるメニューから、番組＃２のムーブ用コンテンツをムーブさせることができる。
【００８１】
このように、オリジナルコンテンツがムーブされた場合でも、ムーブ用コンテンツが残っているときには、そのムーブ用コンテンツをリストの表示上はいわば「格上げ」し、リストに表示されるようにすることによって、ユーザは、オリジナルコンテンツとムーブ用コンテンツの違いを意識することなく、オリジナルコンテンツと同様に、ムーブ用コンテンツを操作することができる。
【００８２】
なお、ムーブ用コンテンツを格上げするのではなく、オリジナルコンテンツとムーブ用コンテンツが記録されている場合において、オリジナルコンテンツがムーブされた場合、ムーブ用コンテンツがHDD２５に残っているときでも、そのムーブ用コンテンツを利用不可とするようにしてもよい。
【００８３】
次に、以上のような構成を有する記録装置１の動作について説明する。
【００８４】
始めに、図６のフローチャートを参照して、記録装置１の記録処理について説明する。
【００８５】
この処理は、例えば、チューナ部１７により受信されたトランスポートストリームがデスクランブラ１８によりデスクランブルされ、デスクランブルされたトランスポートストリームから、所定のコンテンツ（ビデオ、オーディオパケット）、およびPMTがデマルチプレクサ２１により抽出されたときに行われる。また、図６の例においては、HDD２５へのコンテンツの記録操作がユーザにより予め行われているものとする。
【００８６】
ステップＳ１において、解析部５１は、デマルチプレクサ２１から供給されてきたPSIのPMTを解析し、ディジタルコピー制御記述子があるか否かを判定する。
【００８７】
ステップＳ１において、ディジタルコピー制御記述子がないと判定された場合、ステップＳ２において、HDD２５へのコンテンツの通常の記録処理が行われる。ディジタルコピー制御記述子がない場合、ディジタルコピー制御記述子がないことを表す情報が解析部５１からHDD記録制御部５２に供給され、HDD記録制御部５２により、「制約条件なしにコピー可」のコンテンツとしてHDD２５のオリジナルコンテンツ記録部５５に記録される。その後、処理は終了される。
【００８８】
一方、ステップＳ１において、解析部５１は、ディジタルコピー制御記述子があると判定した場合、ステップＳ３に進み、「digital_recording_control_data」の値を判定する。
【００８９】
ステップＳ３において、解析部５１は、「digital_recording_control_data」の値が00bである、すなわち、受信されたコンテンツが「制約条件なしにコピー可」のコンテンツであると判定した場合、ステップＳ２に進み、通常の記録処理を行う。このときも、ディジタルコピー制御記述子がないときと同様、「制約条件なしにコピー可」のオリジナルコンテンツがオリジナルコンテンツ記録部５５に記録される。
【００９０】
また、ステップＳ３において、解析部５１は、「digital_recording_control_data」の値が11bである、すなわち、受信されたコンテンツが「コピー禁止」のコンテンツであると判定した場合、また、01bであると判定した場合、ステップＳ４に進み、HDD２５への記録を行わない。この場合、コンテンツのリアルタイムでの再生のみが可能とされ、その後、処理は終了される。
【００９１】
一方、ステップＳ３において、解析部５１は、「digital_recording_control_data」の値が10bである、すなわち、受信されたコンテンツが「１世代のみコピー可」のコンテンツであると判定した場合、ステップＳ５に進む。HDD記録制御部５２とムーブ用コンテンツ生成部５３に対しては、供給されてきたコンテンツが「１世代のみコピー可」であることを表す情報が解析部５１から出力される。
【００９２】
ステップＳ５において、ムーブ用コンテンツ生成部５３は、記録設定管理部５４から供給されてくる設定情報に基づいて、オリジナルコンテンツの他に、ムーブ用コンテンツをHDD２５に記録すること（複数のコンテンツを記録すること）がユーザにより指定されているか否かを判定し、指定されていないと判定した場合、ステップＳ２に進む。このとき、通常の記録処理が行われ、受信された「１世代のみコピー可」のコンテンツは、以降のコピーが禁止（ムーブは可能）であることを表すCCIが付加され、オリジナルコンテンツ記録部５５に記録される。
【００９３】
一方、ステップＳ５において、ムーブ用コンテンツ生成部５３は、オリジナルコンテンツの他に、ムーブ用コンテンツを記録することがユーザにより指定されていると判定した場合、ステップＳ６に進み、次に、ムーブ先が指定されているか否かを設定情報に基づいて判定する。
【００９４】
ムーブ用コンテンツ生成部５３は、ステップＳ６において、ムーブ先が指定されていると判定した場合、ステップＳ７に進む。
【００９５】
ステップＳ７においては、オリジナルコンテンツの記録と、ユーザにより指定されたフォーマット、個数のムーブ用コンテンツの記録が、HDD記録制御部５２により同時に行われる。
【００９６】
すなわち、ムーブ用コンテンツ生成部５３は、ユーザにより指定されたムーブ先に応じたフォーマットで、かつ、ユーザにより指定された個数のムーブ用コンテンツを生成し、それをHDD記録制御部５２に出力する。また、HDD記録制御部５２は、オリジナルコンテンツをオリジナルコンテンツ記録部５５に記録させるとともに、ムーブ用コンテンツ生成部５３から供給されてきたムーブ用コンテンツをムーブ用コンテンツ記録部５６に記録させる。その後、処理は終了される。
【００９７】
一方、ステップＳ６において、ムーブ先が指定されていないと判定された場合、処理はステップＳ８に進み、オリジナルコンテンツの記録と、所定のフォーマット、所定の個数のムーブ用コンテンツの記録が、HDD記録制御部５２により同時に行われる。
【００９８】
すなわち、ムーブ用コンテンツ生成部５３は、例えば、オリジナルコンテンツと同じフォーマットで、１個のムーブ用コンテンツを生成し、それをHDD記録制御部５２に出力する。また、HDD記録制御部５２は、オリジナルコンテンツをオリジナルコンテンツ記録部５５に記録させるとともに、ムーブ用コンテンツ生成部５３から供給されてきた１個のムーブ用コンテンツをムーブ用コンテンツ記録部５６に記録させる。その後、処理は終了される。
【００９９】
次に、図７のフローチャートを参照して、記録装置１のムーブ／コピー処理について説明する。
【０１００】
ステップＳ２１において、ムーブ制御部５７は、リスト表示部５８により表示されたリストに対するユーザの操作を受け付け、ステップＳ２２に進み、ユーザによりタイトルが選択されたコンテンツのCCIの設定を判定する。
【０１０１】
オリジナルコンテンツ記録部５５に記録されているコンテンツのうち、「制約条件なしにコピー可」のコンテンツに対してはコピーフリーであることを表すCCIが付加されており、「１世代のみコピー可」のコンテンツに対してはそれ以降のコピーが禁止であることを表すCCIが付加されている。
【０１０２】
ステップＳ２２において、コンテンツのCCIの設定がコピーフリーであると判定した場合、ムーブ制御部５７は、ステップＳ２３に進み、通常のコピー処理を行う。ここでは、例えば、ユーザにより選択された操作内容に応じて、オリジナルコンテンツ記録部５５に記録されているコンテンツの光ディスク２７、半導体メモリ２９に対するコピー、または、通信部３０を介して接続される外部機器へのコピーが行われる。その後、処理は終了される。
【０１０３】
一方、ステップＳ２２において、ユーザによりタイトルが選択されたコンテンツのCCIの設定がコピー禁止であると判定した場合、ムーブ制御部５７は、ステップＳ２４に進み、ユーザによりタイトルが選択されたコンテンツのムーブ用コンテンツがムーブ用コンテンツ記録部５６に記録されているか否かを判定する。
【０１０４】
ステップＳ２４において、ムーブ制御部５７は、ムーブ用コンテンツがムーブ用コンテンツ記録部５６に記録されていないと判定した場合、ステップＳ２５に進み、通常のムーブ処理を行う。すなわち、ムーブ制御部５７は、ムーブが終わったオリジナルコンテンツの部分を消去、または無効化しつつ、全てのムーブの終わったとき、オリジナルコンテンツ記録部５５に記録されているオリジナルコンテンツを全て消去、または無効化し、利用不可とすることによって、ユーザにより選択されたコンテンツのムーブを行う。その後、処理は終了される。
【０１０５】
なお、ここでムーブが行われたコンテンツ（オリジナルコンテンツ）については、ムーブ用コンテンツがないことから、それ以降、そのコンテンツのタイトルはムーブ可能なコンテンツのリストに表示されないことになる。
【０１０６】
ムーブ制御部５７は、ステップＳ２４において、ムーブ用コンテンツがムーブ用コンテンツ記録部５６に記録されていると判定した場合、ステップＳ２６に進み、ムーブ先のフォーマットと、ムーブ用コンテンツのフォーマットが一致するか否かを判定する。ムーブ先は、例えば、リスト上において、コンテンツのタイトルを選択したときに表示されるメニューからユーザにより選択される。
【０１０７】
例えば、ムーブ制御部５７は、ムーブ先として光ディスク２７が指定されている場合、ムーブ用コンテンツのフォーマットがMPEG2フォーマットであるか否かを判定し、また、ムーブ先として半導体メモリ２９が指定されている場合、ムーブ用コンテンツのフォーマットがMPEG4フォーマットであるか否かを判定する。
【０１０８】
ムーブ制御部５７は、ステップＳ２６において、ムーブ先のフォーマットと、ムーブ用コンテンツのフォーマットが一致すると判定した場合、ステップＳ２７に進み、ムーブ用コンテンツを用いたムーブ処理を行う。
【０１０９】
一方、ムーブ制御部５７は、ステップＳ２６において、ムーブ先のフォーマットと、ムーブ用コンテンツのフォーマットが一致しないと判定した場合、ステップＳ２８に進み、ユーザに対して、ムーブ用コンテンツの選択を要求する。ここでは、例えば、ムーブ用コンテンツ記録部５６に記録されている、フォーマットが異なる複数のムーブ用コンテンツの一覧が表示され、その中からユーザが選択することができるようになされる。
【０１１０】
なお、フォーマットが異なる複数のムーブ用コンテンツを記録するのではなく、所定のフォーマットのムーブ用コンテンツを記録しておき、ムーブ先のフォーマットがユーザにより選択されることに応じて、ムーブ用コンテンツのフォーマットの変換が行われ、フォーマット変換後のムーブ用コンテンツがムーブされるようにしてもよい。
【０１１１】
ステップＳ２９において、ムーブ制御部５７は、ムーブ先のフォーマットと一致するフォーマットのムーブ用コンテンツが選択されたか否かを判定し、選択されたと判定した場合、ステップＳ２７に進み、その、選択されたフォーマットのムーブ用コンテンツをムーブさせる。ムーブ制御部５７は、ステップＳ２９において、ユーザによる選択がないと判定した場合、処理を終了させる。
【０１１２】
以上のようにして、HDD２５に記録されたコンテンツのムーブ／コピーが、そのコンテンツに設定されているCCIに基づいて行われる。
【０１１３】
以上の一連の記録処理、ムーブ／コピー処理により、ユーザは、複製が無制限に作成されるのを防ぐための制限がなされている範囲内で、比較的自由にコンテンツを扱うことができる。
【０１１４】
例えば、光ディスク２７と半導体メモリ２９のフォーマットに応じたムーブ用コンテンツを生成しておき、それぞれのリムーバブルメディアに対して所定のタイミングでムーブを行うことによって、一方は、光ディスク２７を所定のプレーヤに装着して大画面でコンテンツを視聴し、他方は、半導体メモリ２９を携帯電話機に装着して屋外でコンテンツを視聴するといったような多様な使い方を実現することができる。当然、HDD２５にはオリジナルコンテンツが残っているから、ユーザは、そのオリジナルコンテンツをHDD２５上から再生させ、記録装置１に接続されているテレビジョン受像機を用いて視聴することもできる。
【０１１５】
また、ユーザは、所定のタイミングでムーブを行うことができるから、オリジナルコンテンツの記録前にムーブ先まで予め指定しておく必要はなく、メディアの選択枝の幅を広げることができる。
【０１１６】
さらに、このように、コンテンツの使い方に自由度があるものの、複製が無制限に作成されることはない。
【０１１７】
以上においては、例えば、「１世代のみコピー可」のコンテンツであっても、ムーブ用コンテンツをHDD２５に記録しておくことにより複数回のムーブが可能とされるとしたが、ムーブ用コンテンツを生成することなく、オリジナルコンテンツにムーブ可能な回数をカウントするムーブカウンタを設定し、そのムーブカウンタの値の範囲内で複数回のムーブが可能とされるようにしてもよい。
【０１１８】
すなわち、この場合、HDD２５に記録されるコンテンツはオリジナルコンテンツのみであり、ムーブが指示されたとき、オリジナルコンテンツから生成された１つのコピーがムーブ用コンテンツとされ、そのムーブ用コンテンツがムーブされる。また、このとき、ムーブ先のフォーマットに応じて、ムーブ用コンテンツのフォーマットの変換が行われるとともに、ムーブが終了したとき、ムーブカウンタの値が１だけ減らされる。
【０１１９】
これによっても、複製が無制限に作成されるのを防ぎつつ、コンテンツの使い方の自由度を高めることができる。
【０１２０】
図８は、このように、ムーブの回数がムーブカウンタの値により管理される場合のムーブ制御部５７の構成例を示すブロック図である。
【０１２１】
ムーブカウンタ管理部７１は、ムーブカウンタの値を管理する。フォーマット変換部７２は、ムーブ先に応じて、オリジナルコンテンツのコピーであるムーブ用コンテンツを生成し、生成したムーブ用コンテンツのフォーマットを適宜変換することによって得られたフォーマット変換後のコンテンツをムーブさせる。
【０１２２】
次に、このように、ムーブの回数がムーブカウンタの値により管理される場合の記録装置１の動作について説明する。
【０１２３】
始めに、図９のフローチャートを参照して、記録装置１の記録処理について説明する。
【０１２４】
ステップＳ４１乃至Ｓ４４の処理は、図６のステップＳ１乃至Ｓ４の処理と同様の処理である。
【０１２５】
すなわち、ステップＳ４１において、ディジタルコピー制御記述子があるか否かが判定され、ディジタルコピー制御記述子がないと判定された場合、ステップＳ４２に進み、通常の記録処理が行われる。ここでは、供給されてきたコンテンツが、「制約条件なしにコピー可」のコンテンツとしてHDD２５のオリジナルコンテンツ記録部５５に記録され、その後、処理は終了される。
【０１２６】
一方、ステップＳ４１において、ディジタルコピー制御記述子があると判定された場合、ステップＳ４３に進み、「digital_recording_control_data」の値が判定される。
【０１２７】
ステップＳ４３において、「digital_recording_control_data」の値が00b（「制約条件なしにコピー可」のコンテンツ）であると判定された場合、ステップＳ４２に進み、通常の記録処理が行われ、一方、「digital_recording_control_data」の値が11b（「コピー禁止」のコンテンツ）または01bであると判定された場合、ステップＳ４４に進み、HDD２５への記録は行われない。ステップＳ４４においては、コンテンツのリアルタイムでの再生のみが可能とされ、その後、処理は終了される。
【０１２８】
ステップＳ４３において、「digital_recording_control_data」の値が10b（「１世代のみコピー可」のコンテンツ）であると判定された場合、ステップＳ４５に進む。
【０１２９】
ステップＳ４５において、HDD記録制御部５２は、複数回のムーブを可能とすることがユーザにより指定されているか否かを判定し、指定されていないと判定した場合、ステップＳ４２に進む。ステップＳ４２においては、通常の記録処理、すなわち、供給されてきたコンテンツをオリジナルコンテンツ記録部５５に記録する処理が行われる。このとき、CCIはムーブ禁止を表すものとなるように設定される。
【０１３０】
一方、ステップＳ４５において、HDD記録制御部５２は、複数回のムーブを可能とすることがユーザにより指定されていると判定した場合、ステップＳ４６に進み、HDD２５のオリジナルコンテンツ記録部５５にコンテンツを記録させるとともに、ムーブカウンタを記録させる。ここで記録されるムーブカウンタには、例えば、ユーザにより設定された回数だけムーブが可能であることを表すような値が設定される。設定されたムーブカウンタの値は、１回のムーブ毎に、ムーブカウンタ管理部７１により更新される（減らされる）。
【０１３１】
次に、図１０のフローチャートを参照して、記録装置１のムーブ／コピー処理について説明する。
【０１３２】
ステップＳ５１乃至Ｓ５３の処理は、図７のステップＳ２１乃至Ｓ２３の処理と同様の処理である。
【０１３３】
ステップＳ５１において、例えば、ムーブ可能なコンテンツのリスト上でユーザにより行われた操作が受け付けられ、ステップＳ５２に進み、ユーザにより選択されたコンテンツのCCIの設定が判定される。
【０１３４】
ステップＳ５２において、ユーザにより選択されたコンテンツのCCIの設定がコピーフリーを表すと判定された場合、ステップＳ５３に進み、通常のコピー処理が行われる。ここでは、例えば、ユーザにより選択された操作内容に応じて、オリジナルコンテンツ記録部５５に記録されているコンテンツの光ディスク２７、半導体メモリ２９に対するコピー等が行われる。その後、処理は終了される。
【０１３５】
一方、ステップＳ５２において、ユーザによりタイトルが選択されたコンテンツのCCIの設定がコピー禁止であると判定された場合、処理はステップＳ５４に進む。
【０１３６】
ステップＳ５４において、ムーブ制御部５７のムーブカウンタ管理部７１は、ムーブカウンタの値を判定し、値が１である、すなわち、残り１回のムーブが可能であると判定した場合、ステップＳ５５に進み、通常のムーブ処理を行う。例えば、ムーブ制御部５７は、オリジナルコンテンツ記録部５５に記録されているコンテンツをムーブさせ、ムーブが全て終わったとき、HDD２５からは、そのコンテンツを利用不可とする。また、このとき、ムーブカウンタ自体の記録が消去される。その後、処理は終了される。
【０１３７】
一方、ステップＳ５４において、ムーブ制御部５７のムーブカウンタ管理部７１は、ムーブカウンタの値が２以上であると判定した場合、ステップＳ５６に進む。
【０１３８】
ステップＳ５６において、ムーブ制御部５７はオリジナルコンテンツ記録部５５に記録されているコンテンツのコピーをムーブ用コンテンツとして１つ生成し、ムーブ先のフォーマットと、生成したムーブ用コンテンツのフォーマットが一致するか否かを判定する。
【０１３９】
ムーブ制御部５７は、ステップＳ５６において、ムーブ先のフォーマットと、ムーブ用コンテンツのフォーマットが一致すると判定した場合、ステップＳ５７に進み、そのムーブ用コンテンツを用いたムーブ処理を行うとともに、ムーブカウンタ管理部７１によりムーブカウンタの値を１だけ減らす。その後、処理は終了される。
【０１４０】
ステップＳ５６において、ムーブ先のフォーマットと、ムーブ用コンテンツのフォーマットが一致しないと判定した場合、ムーブ制御部５７は、ステップＳ５８に進み、ユーザに対して、ムーブ用コンテンツの選択を要求する。
【０１４１】
ステップＳ５９において、ムーブ制御部５７は、ムーブ先のフォーマットと一致するフォーマットが選択されたか否かを判定し、フォーマットが選択されたと判定した場合、ステップＳ５７に進む。
【０１４２】
ステップＳ５７において、ムーブ制御部５７は、オリジナルコンテンツから生成したムーブ用コンテンツのフォーマットをフォーマット変換部７２により変換し、変換後のムーブ用コンテンツをムーブさせる。また、このとき、ムーブ制御部５７は、ムーブカウンタ管理部７１によりムーブカウンタの値を１だけ減らす。
【０１４３】
一方、ムーブ制御部５７は、ステップＳ５９において、ユーザによる選択がないと判定した場合、処理を終了させる。
【０１４４】
以上の処理によっても、複製が無制限に作成されるのを防ぎつつ、コンテンツの使い方の自由度を高めることができる。また、オリジナルコンテンツとは別にムーブ用コンテンツを生成し、それを記録させておく場合に較べて、HDD２５の記録容量を圧迫してしまうことを防止することができる。
【０１４５】
なお、図９の処理においては、オリジナルコンテンツの記録時にムーブ用コンテンツが生成されないものとしたが、ムーブ用コンテンツが１つだけ生成され、それに対して、ムーブ可能な回数がムーブカウンタにより設定されるようにしてもよい。
【０１４６】
上述した一連の処理は、ハードウェアにより実行させることもできるが、ソフトウェアにより実行させることもできる。
【０１４７】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０１４８】
この記録媒体は、図２に示されるように、装置本体とは別に、ユーザにプログラムを提供するために配布される、光ディスク２７、または半導体メモリ２９などよりなるパッケージメディアにより構成されるだけでなく、装置本体に予め組み込まれた状態でユーザに提供される、プログラムが記録されているROM１３や、HDD２５に含まれるハードディスクなどで構成される。
【０１４９】
なお、本明細書において、各ステップは、記載された順序に従って時系列的に行われる処理はもちろん、必ずしも時系列的に処理されなくとも、並列的あるいは個別に実行される処理をも含むものである。
【符号の説明】
【０１５０】
１  記録装置，  １１  CPU，  ２５  HDD，  ２６  光ディスクドライブ，  ２７  光ディスク，  ２８  半導体メモリI/F，  ２９  半導体メモリ，  ５１  解析部，  ５２  HDD記録制御部，  ５３  ムーブ用コンテンツ生成部，  ５４  記録設定管理部，  ５５  オリジナルコンテンツ記録部，  ５６  ムーブ用コンテンツ記録部，  ５７  ムーブ制御部，  ５８  リスト表示部，  ７１  ムーブカウンタ管理部，  ７２  フォーマット変換部
【図１】
0004924649.tif 000002
【図２】
0004924649.tif 000003
【図３】
0004924649.tif 000004
【図４】
0004924649.tif 000005
【図５】
0004924649.tif 000006
【図６】
0004924649.tif 000007
【図７】
0004924649.tif 000008
【図８】
0004924649.tif 000009
【図９】
0004924649.tif 000010
【図１０】
0004924649.tif 000011